(57)【要約】【課題】外れにくく、さまざまな接続端子の形状に対して安定した状態で電気的に接続するテストクリップを提供する。【解決手段】テストクリップは、接続端子と導通可能に接触する導電部材を有する第１のクリップ片と、第１のクリップ片の一端側部分と対向する一端側部分を有し、対向する互いの該一端側部分が開閉可能であって且つ閉じた状態に付勢されるように第１のクリップ片と共通の軸部により回転可能に結合した第２のクリップ片とを備えるテストクリップであって、導電部材の先端部分は、第１のクリップ片の一端側部分の先端から突出して設けられ、第２のクリップ片の一端側部分に、該一端側部分が延伸する上下方向の第１のクリップ片側からみて左右側に開口した切欠部が形成される。【選択図】図１
2018049721.tif 000002
【特許請求の範囲】
【請求項１】
接続端子と導通可能に接触する導電部材を有する第１のクリップ片と、
前記第１のクリップ片の一端側部分と対向する一端側部分を有し、対向する互いの該一端側部分が開閉可能であって且つ閉じた状態に付勢されるように前記第１のクリップ片と共通の軸部により回転可能に結合した第２のクリップ片とを備えるテストクリップであって、
前記導電部材の先端部分は、前記第１のクリップ片の一端側部分の先端から突出して設けられ、
前記第２のクリップ片の一端側部分に、該一端側部分が延伸する上下方向の前記第１のクリップ片側からみて左右側に開口した切欠部が形成されることを特徴とするテストクリップ。
【請求項２】
前記第２のクリップ片の一端側部分の先端は、前記導電部材の先端部分よりわずかに長く延びて形成され、前記第１のクリップ片及び前記第２のクリップ片の一端側部分が閉じた状態において、前記導電部材の先端部分は、前記切欠部内に収容されることを特徴とする請求項１に記載のテストクリップ。
【請求項３】
前記切欠部は、その開口側に突出する突起部を有することを特徴とする請求項１又は２に記載のテストクリップ。
【発明の詳細な説明】
【技術分野】
【０００１】
本発明は、機器配線用端子台や配電盤用ブレーカなどの接続端子に電気的に接続する測定機器用テストクリップに関する。
【背景技術】
【０００２】
試験や点検の目的で、機器配線用端子台や配電盤用ブレーカなどの接続端子に測定機器を電気的に接続する場合、いわゆるワニ口クリップと呼ばれるテストクリップにより接続端子のネジの頭やネジの首の部分をワニ口クリップの歯で挟み込み、接続端子とワニ口クリップとを接続する。また、接続ケーブルの外皮を剥離して、ワニ口クリップの歯で挟み込んで接続を行う場合もある。なお、接続端子の寸法や接続端子間の間隔は、端子台によりまちまちである。
【０００３】
ワニ口クリップに加えて、さまざまなテストクリップが提案されている。例えば、特許文献１は、第１クリップ片と第２のクリップ片と結合片を有する計器用測定クリップについて、結合片が第１クリップ片に取り付けられ、第２クリップ片との間で開閉する一端側において、結合片が第１クリップ片より突出している構成について開示している。
【０００４】
また、特許文献２は、接続端子と接続する接続用クリップにおいて、長い方のクリップ片を端子台の垂直端面側に当て、短い方のクリップ片をネジの頭やネジの首の部分に接触固定した構造で挟み込み、把持する方式が提案されている。さらに、特許文献３は、ワニ口クリップでは直接接続端子を挟持できない場合に、ワニ口クリップによる接続を補助するための配線接続具について開示している。
【先行技術文献】
【特許文献】
【０００５】
【特許文献１】特開２００５−２９４０７１号公報
【特許文献２】特開２００２−１７５８４６号公報
【特許文献３】実開平３−５２９６７号公報
【発明の概要】
【発明が解決しようとする課題】
【０００６】
しかしながら、ワニ口クリップでは、端子台の接続端子と接続端子間に設けられた隔壁との間に十分な隙間がないと外れやすく、接続端子の形状によってはすべりやすいため、安定した接続を得ることが困難な場合がある。また、ワニ口クリップは、その両側の先端部はいずれも露出した導電部であるため、大きく開いた状態で接続端子に接近すると隣の接続端子と接触したり、複数個のワニ口クリップを接続すると隣接するワニ口クリップの金属露出部同士が接触したりして短絡事故を発生する可能性がありうる。
【０００７】
さらに、特許文献２に開示される接続用クリップは、接続ケーブルが太い接続ケーブルである場合や圧着端子が使用されている場合、切欠部の幅によっては接続ケーブルを導出できず、把持することができなくなるという課題がある。さらに、端子台の垂直端面側に面接触させて把持させる構造のため、上方向に抜ける力が働いた場合、外れやすい。
【０００８】
そこで、本発明の目的は、接続端子を挟み込んで電気的に接続するテストクリップにおいて、外れにくく、さまざまな接続端子の形状に対して安定した状態で電気的に接続するテストクリップを提供することにある。
【課題を解決するための手段】
【０００９】
上記目的を達成するための本発明のテストクリップは、接続端子と導通可能に接触する導電部材を有する第１のクリップ片と、第１のクリップ片の一端側部分と対向する一端側部分を有し、対向する互いの該一端側部分が開閉可能であって且つ閉じた状態に付勢されるように第１のクリップ片と共通の軸部により回転可能に結合した第２のクリップ片とを備えるテストクリップであって、導電部材の先端部分は、第１のクリップ片の一端側部分の先端から突出して設けられ、第２のクリップ片の一端側部分に、該一端側部分が延伸する上下方向の第１のクリップ片側からみて左右側に開口した切欠部が形成されることを特徴とする。
【００１０】
テストクリップの第２のクリップ片側で接続ケーブルを引っ掛けて固定する構造としたことにより、接続端子から外れる力を接続ケーブルで受け止め、第２のクリップ片が付勢力により上方向に外れる力を第１のクリップ片の導電部材の先端部分が接続端子に把持する力に利用することで、安定した電気的接続が可能となる。また、導電部材の先端部分を、第１のクリップ片の一端側部分の先端から突出させることで、導電部材の先端部分は薄く且つ細く形成されるので、例えば、端子台の接続端子と隔壁との隙間が狭い場合であっても、その隙間に挿入し、接続端子である金属ネジの首部分に導電部材の先端部分を安定して引っ掛けることができる。
【００１１】
好ましくは、第２のクリップ片の一端側部分の先端は、導電部材の先端部分よりわずかに長く延びて形成され、第１のクリップ片及び第２のクリップ片の一端側部分が閉じた状態において、導電部材の先端部分は、切欠部内に収容される構成としてもよい。これにより、テストクリップが使用されていない閉じた状態の場合、導電部材の先端部分を保護し、その破損を防止することができる。
【００１２】
さらに好ましくは、切欠部は、その開口側に突出する突起部を有していてもよい。これにより、切欠き部に収容された接続ケーブルが切欠部から外れることなく、安定して収容状態を維持することができる。
【発明の効果】
【００１３】
本発明のテストクリップによれば、２つのクリップ片を有するテストクリップの片側のクリップ片で横（左右）方向の開口から接続ケーブルを引っ掛けて固定する構造としたことにより、接続端子から外れる力を接続ケーブルで受け止め、安定した電気的接続が可能となる。また、導電部材の先端部分が第１のクリップ片の一端側部分の先端から突出していることで、端子台の接続端子と隔壁との隙間が狭い場合であっても、その隙間に挿入し、接続端子である金属ネジの首部分に導電部材の先端部分を安定且つ容易に引っ掛けることができる。
【図面の簡単な説明】
【００１４】
【図１】本発明の実施の形態におけるテストクリップを閉じた状態の側面図である。
【図２】本発明の実施の形態におけるテストクリップを開いた状態の側面図である。
【図３】本発明の実施の形態におけるテストクリップを開いた状態での斜視図である。
【図４】本発明の実施の形態におけるテストクリップの一端側部分の拡大斜視図である。
【図５】本発明の実施の形態におけるテストクリップの使用状態を示す図である。
【図６】導電部材の先端部分が接続端子と接続する状態を示す部分拡大図である。
【図７】切欠部を含む第２のクリップ片の一端側部分の部分拡大図である。
【図８】導電部材の先端部分が切欠部に収容されている状態を示す図である。
【図９】本発明の実施の形態におけるテストクリップの別の使用状態を示す図である。
【図１０】本発明の実施の形態におけるテストクリップのさらなる別の使用状態を示す図である。
【発明を実施するための形態】
【００１５】
以下、図面を参照して本発明の実施の形態について説明する。しかしながら、かかる実施の形態例が、本発明の技術的範囲を限定するものではない。
【００１６】
図１、図２及び図３は本発明の実施の形態におけるテストクリップの構成例を示す図であり、図１はテストクリップを閉じた状態の側面図、図２はテストクリップが開いた状態の側面図、図３は異なる角度からの斜視図である。また、図４は、テストクリップの部分拡大図である（図４（ａ）に示すテストクリップの領域Ａの拡大斜視図が図４（ｂ）に示される）。さらに、図５は、テストクリップを接続端子に接続した使用状態を示す図であり、図５（ａ）は側面図、図５（ｂ）は斜視図である。
【００１７】
テストクリップは、第１のクリップ片１１、第２のクリップ片１２及び導電部材１３を有して構成される。第１のクリップ片１１及び第２のクリップ片１２は絶縁性を有する合成樹脂材料で形成され、導電部材１３は、導電性を有する金属材料で形成される。
【００１８】
第１のクリップ片１１は、中央付近の軸受部１４から一端側に延びる一端側部分１１ａと他端側に延びる他端側部分１１ｂを有する。また、第２のクリップ片１２は、第１のクリップ片１１と共通の軸受部１４から一端側に延びる一端側部分１２ａと他端側に延びる他端側部分１２ｂとを有する。
【００１９】
第１のクリップ片１１と第２のクリップ片１２は、互いの一端側部分１１ａと１２ａとが対向し、互いの他端側部分１１ｂと１２ｂとが対向するように、軸受部１４で回転可能に結合している。軸受部１４には、両一端側部分１１ａ、１２ａの先端同士が閉じた状態になるように付勢するねじりコイルバネなどのバネ材（図示せず）が取り付けられる。すなわち、バネ材が第１のクリップ片１１と第２のクリップ片１２とを互いに閉じるよう付勢して設けられて、両一端側部分１１ａ、１２ａの先端同士が閉じた状態では、両他端側部分１１ｂ、１２ｂの先端同士は開いている状態となり、バネの付勢力に抗して両他端側部分１１ｂ、１２ｂを手でつまんで、その先端同士を閉じる方向に操作することで、軸受部１４が回転し、両一端側部分１１ａ、１２ａの先端が開く。図５に示すように、開いた一端側部分１１ａの先端である導電部材１３の先端部分１３ａで端子台２０の接続端子２０ａである金属ねじの首部分に引っ掛け、バネ材の付勢力により第１のクリップ片１１と第２のクリップ片１２で接続端子２０ａを挟持する。
【００２０】
第１のクリップ片１１には、第２のクリップ片１２に対向する面側が開口している溝１１ｃが一端側部分１１ａから他端側部分１１ｂに延びて形成され、溝１１ｃに沿ってその内部に、細長い薄板状の金属製の導電部材１３が一端側部分１１ａから他端側部分１１ｂに延びて嵌め込まれている。導電部材１３は、その先端部分１３ａが一端側部分１１ａの先端から突出して取り付けられ、さらに、導電部材１３の一端側部分１１ａから突出した先端部分１３ａは、第２のクリップ片１２側に折り曲げられ、接続対象となる端子台２０の接続端子２０ａである金属ネジの首部分に引っかかる構成となっている。折り曲がり部分である先端部分１３ａが一端側部分１１ａの先端から突出している。また、導電部材１３の他端側の先端には、テストクリップ１０から延びる配線１６が電気的に接続される。
【００２１】
図６は、導電部材１３の先端部分１３ａが接続端子２０ａと接続する状態を示す拡大図である。導電部材１３の先端部分１３ａは、第１のクリップ片１１の一端側部分１１ａの先端から突出して形成されることで、導電部材１３の先端部分１３ａは、第１のクリップ片１１の一端側部分１１ａの先端より薄く且つ細く形成されるので、突出させない場合（図６（ａ）参照）と比較して、接続端子２０ａと隔壁２０ｂとの隙間が狭い場合であっても、図６（ｂ）に示されるように、その隙間に挿入し、接続端子２０ａである金属ネジの首部分に先端部分１３ａを安定して引っ掛けることができる。
【００２２】
導電部材１３の先端部分１３ａを薄くし、第１のクリップ片１１の一端よりも突出して設けることで、端子台２０の種々の寸法の接続端子２０ａに対して、または、端子台２０の接続端子２０ａと隔壁２０ｂとの隙間や接続端子間の間隔が狭い場合でも、導電部材１３の先端部分１３ａを接続端子２０ａと隔壁２０ｂとの隙間に挿入して接続することができる。また、接続作業においては、第１のクリップ片１１の導電部材１３の先端部分１３ａを確認しながら容易に接続することができる。
【００２３】
導電部材１３の側面両側には第２のクリップ片１２の側に突出する鋸歯部１３ｂが設けられてもよい。鋸歯部１３ｂは、第２のクリップ片１２の側に向き、第１のクリップ片１１及び第２のクリップ片１２が互いに閉じた状態で鋸歯部１３ｂは第２のクリップ片１２と当接するように構成される。外皮が剥離された接続ケーブル２１に直接鋸歯部１３ｂを接触させて、第１のクリップ片１１の導電部材１３の鋸歯部１３ｂと第２のクリップ片１２とにより、接続ケーブル２１を挟み込んで電気的に接続することも可能である。
【００２４】
第２のクリップ片１２は、その一端側部分１２ａにおいて、該一端側部分１２ａが延伸する方向を上下方向として、その上下方向に対して第１のクリップ片１１側からみて左右側に開口した切欠部１２ｃが形成される。開口方向は左側又は右側のどちらでもよい。切欠部１２ｃは、接続端子２０ａに接続されている接続ケーブル２１を収容可能な程度の幅、深さの寸法を有し、例えば断面コの字形状に形成される。断面形状は、コの字形状にかぎらず、Ｕ字形状、Ｖ字形状など接続ケーブル２１を収容しうる幅と深さを有する溝形状で形成することも可能である。図５に示すように、第２のクリップ片１２の切欠部１２ｃに接続ケーブル２１を収容する位置に位置決め、第１のクリップ片１１の導電部材１３の先端部分１３ａを接続端子２０ａのネジの頭の根元に引っ掛けて、第１のクリップ片１１と第２のクリップ片１２とで挟み込んでテストクリップ１０は接続端子２０ａと電気的に接続して固定される。
【００２５】
第２のクリップ片１２における切欠部１２ｃは、接続端子２０ａから延びる接続ケーブル２１を横方向（左右方向）から収容するように、第２のクリップ片１２を配置することで、接続ケーブル２１の位置に制限を受けることなく、テストクリップ１０を接続端子２０ａに接続することができる。特に、接続ケーブル２１を横方向から切欠部１２ｃに収容することで、接続ケーブル２１の下側が切欠部１２ｃによって支持されるので、テストクリップ１０が上方向に外れる力を接続ケーブル２１で受け止めることができ、テストクリップ１０が外れることなく、安定的に接続端子２０ａに接続させることができる。すなわち、テストクリップ１０の片側（第２のクリップ片１２側）で接続ケーブル２１を引っ掛けて固定する構造としたことにより、接続端子２０ａから外れる力を接続ケーブル２１で受け止め、第２のクリップ片１２がバネ力により上方向に外れる力を第１のクリップ片１１の導電部材１３の先端部分１３ａが接続端子２０ａに把持する力に利用することで、安定した電気的接続が可能となる。
【００２６】
図７は、切欠部１２ｃを含む第２のクリップ片１２の一端側部分１２ａの部分拡大図である。切欠部１２ｃには、好ましくは、その開口側に突出する突起部１２ｄが形成される。突起部１２ｄを形成することで、収容されている接続ケーブル２１に切欠部１２ｃから外れる方向に力が作用した場合の抵抗要素となり、接続ケーブル２１が切欠部１２ｃより外れにくくなり、接続端子２０ａに接続したテストクリップ１０を安定的に固定することができる。突起部１２ｄは、接続ケーブル２１の太さが異なる場合でも突起部１２ｄの外れ防止効果を有する。
【００２７】
図８は、導電部材１３の先端部分１３ａが切欠部１２ｃに収容されている状態を示す図である。図８（ａ）に示すテストクリップ１０の領域Ｂの拡大斜視図が図８（ｂ）に示される。テストクリップ１０が閉じた状態において、第２のクリップ片１２の一端側部分１２ａの先端は、導電部材１３の先端部分１３ａよりわずかに長く延びて形成される。わずかに長いことで、テストクリップ１０を閉じた状態において、切欠部１２ｃ内側に導電部材１３の先端部分１３ａが収納されるようにする。これにより導電部材１３の先端部分１３ａを保護し、その破損を防止できる。
【００２８】
図９は、本発明の実施の形態におけるテストクリップの別の使用状態を示す図であり、図９（ａ）は側面図、図９（ｂ）は斜視図である。図９に示すように、第２のクリップ片１２の切欠部１２ｃに接続ケーブル２１を引っ掛けて固定し、第１のクリップ片１１の導電部材１３の先端部分１３ａを圧着端子舌部側のバレル部端に接続するようにして用いることもできる。
【００２９】
図１０は、本発明の実施の形態におけるテストクリップのさらなる別の使用状態を示す図であり、図１０（ａ）は側面図、図１０（ｂ）は斜視図である。図１０に示すように、第２のクリップ片１２の切欠部１２ｃに接続ケーブル２１を引っ掛けて固定し、第１のクリップ片１１の導電部材１３の先端部分１３ａを隔壁を超えた対向側の接続端子に接続するようにして用いることもできる。
【００３０】
本発明は、前記実施の形態に限定されるものではなく、本発明の分野における通常の知識を有する者であれば想到し得る各種変形、修正を含む要旨を逸脱しない範囲の設計変更があっても、本発明に含まれることは勿論である。
【符号の説明】
【００３１】
１０：テストクリップ、１１：第１のクリップ片、１１ａ：一端側部分、１１ｂ：他端側部分、１１ｃ：溝、１２：第２のクリップ片、１２ａ：一端側部分、１２ｂ：他端側部分、１２ｃ：切欠部、１２ｄ：突起部、１３：導電部材、１３ａ：先端部分、１３ｂ：鋸歯部、１４：軸受部、１６：配線、２０：端子台、２０ａ：接続端子、２０ｂ：隔壁、２１：接続ケーブル
【図１】
2018049721.tif 000003
【図２】
2018049721.tif 000004
【図３】
2018049721.tif 000005
【図４】
2018049721.tif 000006
【図５】
2018049721.tif 000007
【図６】
2018049721.tif 000008
【図７】
2018049721.tif 000009
【図８】
2018049721.tif 000010
【図９】
2018049721.tif 000011
【図１０】
2018049721.tif 000012